(57)【要約】【課題】    本発明の目的は、熱溶着性シートの袋の端部をガイドして溶着することができる簡易型ヒートシール機を提供するものである。【解決手段】    簡易型ヒートシール機Ｈは、長手方向に長い箱形の本体１と、この本体１に回動自在に支持された押圧体２と、この押圧体２の裏面に対向した本体１の上面１Ａより突出して設けられた発熱部３とを有した簡易型ヒートシール機Ｈであって、本体１の長手方向を横断して逆Ｕ字形状のガイド体５が設けられ、逆Ｕ字形状のガイド体５の側端面５Ａ、５Ｂの内、押圧体２の回動部位Ｋから遠い側の前記側端面に発熱部３を乗り越えた熱溶着性シートの袋６の端部６Ａを当接するように位置させて、熱溶着性シートの袋６の端部６Ａをガイドするものである。【選択図】図１
2015199508.tif 000002
【特許請求の範囲】
【請求項１】
長手方向に長い箱形の本体と、この本体に回動自在に支持された押圧体と、この押圧体の裏面に対向した前記本体の上面より突出して設けられた発熱部とを有した簡易型ヒートシール機であって、
前記本体の長手方向を横断して逆Ｕ字形状のガイド体が設けられ、
前記逆Ｕ字形状のガイド体の側端面の内、前記押圧体の回動部位から遠い側の側端面に前記発熱部を乗り越えた熱溶着性シートの袋の端部を当接するように位置させて、前記熱溶着性シートの袋の端部をガイドする
ことを特徴とする簡易型ヒートシール機。
【請求項２】
長手方向に長い箱形の本体と、この本体に回動自在に支持された押圧体と、この押圧体の裏面に対向した前記本体の上面より突出して設けられた発熱部とを有した簡易型ヒートシール機であって、
前記本体の長手方向を横断し、前記長手方向に移動する逆Ｕ字形状のガイド体が設けられ、
前記逆Ｕ字形状のガイド体の側端面の内、前記押圧体の回動部位から遠い側の側端面に前記発熱部を乗り越えた熱溶着性シートの袋の端部を当接するように位置させて、前記熱溶着性シートの袋の端部をガイドする
ことを特徴とする簡易型ヒートシール機。
【請求項３】
発熱部の不使用時、逆Ｕ字形状のガイド体の天井の裏面が発熱部に対応する位置まで移動させる
ことを特徴とする請求項２記載の携帯用ヒートシール機。
【請求項４】
発熱部の不使用時、逆Ｕ字形状のガイド体の天井の裏面が発熱部に対応する位置まで移動させると共に、該対応する位置を規制し、逆Ｕ字形状のガイド体が本体から離脱しないようにすることを特徴とする
ことを特徴とする請求項２記載の簡易型ヒートシール機。
【請求項５】
押圧体は、長手方向に長いものであり、
発熱部の電源は、複数の電池であり、
この複数の電池は、本体内であって、前記本体の高さ方向に並設されて収納され、
前記押圧体の長手方向を横断する押圧体幅寸法Ｍと前記本体の長手方向を横断する本体幅寸法ｍとの関係を、Ｍ≦ｍとする
ことを特徴とする請求項１又は請求項２記載の簡易型ヒートシール機。
【発明の詳細な説明】
【技術分野】
【０００１】
本発明は、簡易型ヒートシール機に係り、特に、熱溶着性シートの袋の端部をガイドして溶着することができる簡易型ヒートシール機に関する。
【背景技術】
【０００２】
従来、熱溶着性シートの袋を簡易に溶着することができる簡易型ヒートシール機がある（特許文献１参照）。
この簡易型ヒートシール機は、長手方向に長い箱形の本体と、この本体に回動自在に支持された押圧体と、この押圧体の裏面に対向した前記本体の上面より突出して設けられた発熱部とを有している。
【先行技術文献】
【特許文献】
【０００３】
【特許文献１】特許登録第４４２２６９６号公報
【発明の概要】
【発明が解決しようとする課題】
【０００４】
しかしながら、上記簡易型ヒートシール機には、熱溶着性シートの袋の端部をガイドする機能を備えていないため、熱溶着性シートの袋の溶着する部分を均一にすることが容易にできないという問題点が生じた。
【０００５】
本発明は、前記問題点を考慮したなされた簡易型ヒートシール機を提供することを目的とする。
【課題を解決するための手段】
【０００６】
請求項１記載の簡易型ヒートシール機は、長手方向に長い箱形の本体と、この本体に回動自在に支持された押圧体と、この押圧体の裏面に対向した前記本体の上面より突出して設けられた発熱部とを有した簡易型ヒートシール機であって、前記本体の長手方向を横断して逆Ｕ字形状のガイド体が設けられ、前記逆Ｕ字形状のガイド体の側端面の内、前記押圧体の回動部位から遠い側の側端面に前記発熱部を乗り越えた熱溶着性シートの袋の端部を当接するように位置させて、前記熱溶着性シートの袋の端部をガイドするものである。
【０００７】
また、請求項２記載の簡易型ヒートシール機は、長手方向に長い箱形の本体と、この本体に回動自在に支持された押圧体と、この押圧体の裏面に対向した前記本体の上面より突出して設けられた発熱部とを有した簡易型ヒートシール機であって、前記本体の長手方向を横断し、前記長手方向に移動する逆Ｕ字形状のガイド体が設けられ、前記逆Ｕ字形状のガイド体の側端面の内、前記押圧体の回動部位から遠い側の側端面に前記発熱部を乗り越えた熱溶着性シートの袋の端部を当接するように位置させて、前記熱溶着性シートの袋の端部をガイドするものである。
【０００８】
また、請求項３記載の簡易型ヒートシール機は、請求項２記載の簡易型ヒートシール機において、発熱部の不使用時、逆Ｕ字形状のガイド体の天井の裏面が発熱部に対応する位置まで移動させるものである。
【０００９】
また、請求項４記載の簡易型ヒートシール機は、請求項２記載の簡易型ヒートシール機において、発熱部の不使用時、逆Ｕ字形状のガイド体の天井の裏面が発熱部に対応する位置まで移動させると共に、該対応する位置を規制し、逆Ｕ字形状のガイド体が本体から離脱しないようにするものである。
【００１０】
また、請求項５記載の簡易型ヒートシール機は、請求項１又は請求項２記載の簡易型ヒートシール機において、押圧体は、長手方向に長いものであり、発熱部の電源は、複数の電池であり、この複数の電池は、本体内であって、前記本体の高さ方向に並設されて収納され、前記押圧体の長手方向を横断する押圧体幅寸法Ｍと前記本体の長手方向を横断する本体幅寸法ｍとの関係を、Ｍ≦ｍとするものである。
【発明の効果】
【００１１】
請求項１記載の簡易型ヒートシール機によれば、逆Ｕ字形状のガイド体の側端面の内、押圧体の回動部位から遠い側の側端面に発熱部を乗り越えた熱溶着性シートの袋の端部を当接するように位置させて、前記熱溶着性シートの袋の端部をガイドするするため、熱溶着性シートの袋の溶着する部分を熱溶着性シートの袋の端部に平行で、しかも、端部からの寸法を容易に均一化することができる。
【００１２】
また、請求項２記載の簡易型ヒートシール機によれば、逆Ｕ字形状のガイド体の側端面の内、押圧体の回動部位から遠い側の側端面に発熱部を乗り越えた熱溶着性シートの袋の端部を当接するように位置させて、前記熱溶着性シートの袋の端部をガイドするため、熱溶着性シートの袋の溶着する部分を熱溶着性シートの袋の端部に平行で、しかも、端部からの寸法を容易に均一化することができ、しかも、逆Ｕ字形状のガイド体は、本体の長手方向に移動することができるため、例えば、熱溶着性シートの袋の端部に近づけて溶着したり、又は、熱溶着性シートの袋の端部から遠ざけて溶着して、使用者の好みに応じて対応することができる。
【００１３】
また、請求項３記載の簡易型ヒートシール機によれば、上述の請求項２記載の発明の効果に加え、発熱部の不使用時、逆Ｕ字形状のガイド体の天井の裏面が発熱部に対応する位置まで移動させるため、押圧体を誤って本体側に回動させても、押圧体と発熱部が直接接触するのを防止して、危険な発熱、無駄な発熱等を防ぐことができる。
【００１４】
また、請求項４記載の簡易型ヒートシール機によれば、上述の請求項２記載の発明の効果に加え、逆Ｕ字形状のガイド体の天井の裏面が発熱部に対応する位置まで移動させると共に、該対応する位置を規制し、逆Ｕ字形状のガイド体が本体から離脱しないようにすることができる。
【００１５】
また、請求項５記載の簡易型ヒートシール機によれば、上述の請求項１又は請求項２記載の発明の効果に加え、複数の電池は、本体内であって、前記本体の高さ方向に並設されて収納されるため、本体を前記本体の長手方向を横断する幅寸法を小さくすることができ、しかも、押圧体の長手方向を横断する押圧体幅寸法Ｍと前記本体の長手方向を横断する本体幅寸法ｍとの関係を、Ｍ≦ｍとするため、熱溶着性シートの袋を溶着する際、熱溶着性シートの袋が逆Ｕ字形状のガイド体の側端面に当接する部位を、例えば、平面視、見易いようにして、溶着作業の容易化を図ることができる。
【図面の簡単な説明】
【００１６】
【図１】図１は、本発明の一実施例の簡易型ヒートシール機の使用状態の概略的斜視図である。
【図２】図２は、図１の簡易型ヒートシール機の不使用時の概略的斜視図である。
【図３】図３は、図１の簡易型ヒートシール機のガイド体を押圧体の回動部位の側へ移動させた状態の概略的斜視図である。
【図４】図４（ａ）は、図２の概略的平面図であり、図４（ｂ）は、図４（ａ）の概略的側面図である。
【図５】図５（ａ）は、図２の簡易型ヒートシール機の概略的一部断面図であり、図５（ｂ）は、図５（ａ）のガイド体の移動する手段を説明するための概略的断面図である。
【図６】図６は、図１の簡易型ヒートシール機と異なる他の実施例の簡易型ヒートシール機の概略的斜視図である。
【発明を実施するための形態】
【００１７】
本発明の一実施例の簡易型ヒートシール機を図面（図１乃至図５）を参照して説明する。
図１に示すＨは簡易型ヒートシール機で、簡易型ヒートシール機Ｈは、長手方向に長い箱形の本体１と、この本体１に回動自在に支持された押圧体２と、この押圧体２の裏面に対向した本体１の上面１Ａより突出して設けられた発熱部３とを有している。
【００１８】
押圧体２は、図４（ａ）（ｂ）に示すように、長手方向に長いものであり、弾性部材、（例えば、バネ）４により押圧体２の先端が本体１より離間するように付勢されている。
また、発熱部３は、例えば、ニクロム線（図示せず）をテフロン（登録商標）で被覆したものであり、発熱部３の電源は、複数の電池３１、３２となっている。
この複数の電池３１、３２は、横方向に並設されても良いが、望ましくは、図４（ａ）（ｂ）に示すように、本体１内であって、本体１の高さ方向に並設されて収納されているのが良い。
また、本実施例では、電源として電池を使用したが、本願発明にあって、これに限らず、電源として、図示しないＵＳＢ電源、ＡＣアダプター電源等を使用するようにしても良い。
【００１９】
図５に示す５は逆Ｕ字形状のガイド体で、逆Ｕ字形状のガイド体５は、本体１の長手方向を横断して設けられている。
また、図１に示すように、逆Ｕ字形状のガイド体５の側端面５Ａ、５Ｂの内、押圧体２の回動部位Ｋから遠い側の側端面５Ｂに発熱部３を乗り越えた熱溶着性シートの袋６の端部６Ａを当接するように位置させて、熱溶着性シートの袋６の端部６Ａをガイドするようにしている。
例えば、図１に示す本体１と押圧体２を図示しない右手に持ち、逆Ｕ字形状のガイド体５の側端面５Ａ、５Ｂの内、押圧体２の回動部位Ｋから遠い側の側端面５Ｂに発熱部３を乗り越えた熱溶着性シートの袋６の端部６Ａを当接するように位置させて、図示しない左手で熱溶着性シートの袋６を持って、図１に示す矢印方向に移動させる。つまり、ガイド体５の側端面５Ｂが熱溶着性シートの袋６の端部６Ａをガイドするため、溶着する部分６Ｂは熱溶着性シートの袋の端部６Ａに平行で、しかも、端部６Ａからの寸法ｔを容易に均一化することができる(図１参照)。
【００２０】
なお、逆Ｕ字形状のガイド体５は、固定されたものでも良いが、逆Ｕ字形状のガイド体５は、望ましくは、本実施例のように、本体１の長手方向を横断し、前記長手方向に移動するように設けられるのが良い。
移動する手段としては、例えば、本体１の両側面に所定間隔に設けられた凹所１Ｂ、この凹所１Ｂに対向するガイド体５の両側面に設けられた係合部（凸部）５Ｋで構成しても良いし、逆の構成、つまり、ガイド体５の両側面に図示しない凹所、この凹所に対向する本体１の両側面に所定間隔に設けられた図示しない係合部（凸部）で構成するようにしても良い。
逆Ｕ字形状のガイド体５は、本体１の長手方向に移動することができるようにすると、例えば、熱溶着性シートの袋６の端部６Ａに近づけて溶着したり（図１の端部５Ａからの寸法ｔ参照）、又は、熱溶着性シートの袋６の端部６Ａから遠ざけて溶着したり（図３の端部６Ａからの寸法Ｔ参照）して、使用者の好みに応じて対応することができる。
また、簡易型ヒートシール機Ｈを使用しないときは、図２に示すように、逆Ｕ字形状のガイド体５の天井の裏面が発熱部３に対応する位置まで移動させる。
これは、押圧体２を誤って本体１の側に回動させても、押圧体２と発熱部３が直接接触するのを防止して、危険な発熱、無駄な発熱等を防ぐためである。
そして、逆Ｕ字形状のガイド体５の天井の裏面が発熱部３に対応する位置まで移動させると共に、該対応する位置を規制し、逆Ｕ字形状のガイド体５が本体１から離脱しないようにしている（図２参照)。
規制する手段としては、例えば、図２の係合状態から押圧体２の回動部位Ｋに遠ざかる方向に凹所１Ｂを設けないようにする［図４（ｂ）、図５（ｂ）参照］。
【００２１】
また、図５（ａ）に示すように、押圧体２の長手方向を横断する押圧体幅寸法Ｍを本体１の長手方向を横断する本体幅寸法ｍと同じとなっている。望ましくは、押圧体２の長手方向を横断する押圧体幅寸法Ｍと本体１の長手方向を横断する本体幅寸法ｍとの関係を、Ｍ≦ｍとする。
その結果、熱溶着性シートの袋６を溶着する際、熱溶着性シートの袋６が逆Ｕ字形状のガイド体５の側端面５Ｂに当接する部位を、見易くして、溶着作業の容易化を図ることができる。
【００２２】
なお、本願発明の簡易型ヒートシール機Ｈにあっては、図１〜図５記載に限らず、例えば、図６に示すように、簡易型ヒートシール機Ｈの逆Ｕ字形状のガイド体５の先端に突出部５Ｘを設け、熱溶着性シートの袋６の端部６Ａが逆Ｕ字形状のガイド体５を乗り越えないようにしても良い。
【符号の説明】
【００２３】
Ｈ      簡易型ヒートシール機
１      本体
１Ａ    上面
２      押圧体
３      発熱部
５      ガイド体
５Ａ    側端面
５Ｂ    側端面
６      熱溶着性シートの袋
６Ａ    端部
Ｋ      回動部位
【図１】
2015199508.tif 000003
【図２】
2015199508.tif 000004
【図３】
2015199508.tif 000005
【図４】
2015199508.tif 000006
【図５】
2015199508.tif 000007
【図６】
2015199508.tif 000008